【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
コンピューティングデバイスにより、ソーシャルネットワーキングサービスに関連するステータスアップデートであって触覚データを含むステータスアップデートを受信するステップと、
前記触覚データと、前記コンピューティングデバイスを介して提供される前記ソーシャルネットワーキングサービスの少なくとも1つのユーザアカウントと前記ステータスアップデートの送信者との間の前記ソーシャルネットワーキングサービス内における関係とに少なくとも部分的に基づいて、ある種の触覚フィードバックを提供させるステップと
を含み、
前記関係は、前記ソーシャルネットワーキングサービスで定義されている前記送信者の連絡先のグループ分けに基づき、
少なくとも1つのユーザアカウントが第1の連絡先グループにある場合には、第1の種類の触覚フィードバックが提供され、
少なくとも1つのユーザアカウントが第1の連絡先グループとは異なる第2の連絡先グループにある場合には、第1の種類の触覚フィードバックとは異なる第2の種類の触覚フィードバックが提供される、方法。
【請求項２】
前記触覚データが、前記ステータスアップデートの受信者に提供される少なくとも1つの触覚感覚を識別する請求項1に記載の方法。
【請求項３】
前記触覚データが、前記ステータスアップデートの前記送信者によって指定される請求項1に記載の方法。
【請求項４】
前記第1の連絡先グループと前記第2の連絡先グループとが、前記ステータスアップデートの前記送信者によって定義される請求項1に記載の方法。
【請求項５】
前記触覚データが、前記ステータスアップデートを含むウェブページのヘッダに埋め込まれている請求項1に記載の方法。
【請求項６】
前記ある種の触覚フィードバックが、暗黙メッセージに対応する請求項1に記載の方法。
【請求項７】
前記暗黙メッセージが、前記ソーシャルネットワーキングサービスによって提供される機能に対応する請求項6に記載の方法。
【請求項８】
前記ある種の触覚フィードバックが、前記ソーシャルネットワーキングサービスによって提供されるポーク機能に対応する請求項6に記載の方法。
【請求項９】
前記ソーシャルネットワーキングサービスに関連する前記ステータスアップデートを受信するステップが、
前記第1の連絡先グループに提供される前記第1の種類の触覚フィードバックを指定する第1の情報を受信するステップと、
第2の連絡先グループに提供される前記第2の種類の触覚フィードバックを指定する第2の情報を受信するステップと
を含み、前記ある種の触覚フィードバックを提供させるステップが、
前記少なくとも1つのユーザアカウントが、前記第1の連絡先グループに含まれているか、または前記第2の連絡先グループに含まれているかを判断するステップと、
前記少なくとも1つのユーザアカウントが前記第1の連絡先グループに含まれているという判断に応じて、前記第1の種類の触覚フィードバックを提供させるステップと、
前記少なくとも1つのユーザアカウントが前記第2の連絡先グループに含まれているという判断に応じて、前記第2の種類の触覚フィードバックを提供させるステップと、
を含む請求項1に記載の方法。
【請求項１０】
実行されたときに、少なくとも1つのコンピューティングデバイスに、
ソーシャルネットワーキングサービスに関連するステータスアップデートであって触覚データを含むステータスアップデートを受信させ、
前記触覚データと、前記少なくとも1つのコンピューティングデバイスを介して提供される前記ソーシャルネットワーキングサービスの少なくとも1つのユーザアカウントと前記ステータスアップデートの送信者との間の前記ソーシャルネットワーキングサービス内における関係とに少なくとも部分的に基づいて、ある種の触覚フィードバックを提供させる
コンピュータ実行可能命令を格納し、
前記関係は、前記ソーシャルネットワーキングサービスで定義されている前記送信者の連絡先のグループ分けに基づき、
少なくとも1つのユーザアカウントが第1の連絡先グループにある場合には、第1の種類の触覚フィードバックが提供され、
少なくとも1つのユーザアカウントが第1の連絡先グループとは異なる第2の連絡先グループにある場合には、第1の種類の触覚フィードバックとは異なる第2の種類の触覚フィードバックが提供される、少なくとも1つのコンピュータ可読ストレージメディア。
【請求項１１】
前記触覚データが、前記ステータスアップデートの受信者に提供される少なくとも1つの触覚感覚を識別する請求項10に記載の少なくとも1つのコンピュータ可読ストレージメディア。
【請求項１２】
前記触覚データが、前記ステータスアップデートの前記送信者によって指定される請求項10に記載の少なくとも1つのコンピュータ可読ストレージメディア。
【請求項１３】
前記第1の連絡先グループと前記第2の連絡先グループとが、前記ステータスアップデートの前記送信者によって定義される請求項10に記載の少なくとも1つのコンピュータ可読ストレージメディア。
【請求項１４】
前記触覚データが、前記ステータスアップデートを含むウェブページのヘッダに埋め込まれている請求項10に記載の少なくとも1つのコンピュータ可読ストレージメディア。
【請求項１５】
前記ある種の触覚フィードバックが、暗黙メッセージに対応する請求項10に記載の少なくとも1つのコンピュータ可読ストレージメディア。
【請求項１６】
前記暗黙メッセージが、前記ソーシャルネットワーキングサービスによって提供される機能に対応する請求項15に記載の少なくとも1つのコンピュータ可読ストレージメディア。
【請求項１７】
前記触覚データが、前記ある種の触覚フィードバックとして少なくとも熱効果が提供されるように構成された請求項10に記載の少なくとも1つのコンピュータ可読ストレージメディア。
【請求項１８】
前記ソーシャルネットワーキングサービスに関連する前記ステータスアップデートの受信が、
前記第1の連絡先グループに提供される前記第1の種類の触覚フィードバックを指定する第1の情報を受信するステップと、
第2の連絡先グループに提供される前記第2の種類の触覚フィードバックを指定する第2の情報を受信するステップと
を含み、前記ある種の触覚フィードバックの提供が、
前記少なくとも1つのユーザアカウントが、前記第1の連絡先グループに含まれているか、または前記第2の連絡先グループに含まれているかを判断するステップと、
前記少なくとも1つのユーザアカウントが前記第1の連絡先グループに含まれているという判断に応じて、前記第1の種類の触覚フィードバックを提供させるステップと、
前記少なくとも1つのユーザアカウントが前記第2の連絡先グループに含まれているという判断に応じて、前記第2の種類の触覚フィードバックを提供させるステップと、
を含む請求項10に記載の少なくとも1つのコンピュータ可読ストレージメディア。
【請求項１９】
少なくとも1つのプロセッサと、
コンピュータ可読命令を格納するメモリと
を含むデバイスであって、前記コンピュータ可読命令が、前記少なくとも1つのプロセッサによって実行されたときに、前記デバイスに
ソーシャルネットワーキングサービスに関連するステータスアップデートであって触覚データを含むステータスアップデートを受信させ、
前記触覚データと、前記デバイスを介して提供される前記ソーシャルネットワーキングサービスの少なくとも1つのユーザアカウントと前記ステータスアップデートの送信者との間の前記ソーシャルネットワーキングサービス内における関係とに少なくとも部分的に基づいて、ある種の触覚フィードバックを提供させ、
前記関係は、前記ソーシャルネットワーキングサービスで定義されている前記送信者の連絡先のグループ分けに基づき、
少なくとも1つのユーザアカウントが第1の連絡先グループにある場合には、第1の種類の触覚フィードバックが提供され、
少なくとも1つのユーザアカウントが第1の連絡先グループとは異なる第2の連絡先グループにある場合には、第1の種類の触覚フィードバックとは異なる第2の種類の触覚フィードバックが提供される、
デバイス。
【請求項２０】
前記触覚データが、前記ステータスアップデートの受信者に提供される少なくとも1つの触覚感覚を識別する請求項19に記載のデバイス。
【請求項２１】
前記触覚データが、前記ステータスアップデートの前記送信者によって指定される請求項19に記載のデバイス。
【請求項２２】
前記第1の連絡先グループと前記第2の連絡先グループとが、前記ステータスアップデートの前記送信者によって定義される請求項19に記載のデバイス。
【請求項２３】
前記触覚データが、前記ステータスアップデートを含むウェブページのヘッダに埋め込まれている請求項19に記載のデバイス。
【請求項２４】
前記ある種の触覚フィードバックが、暗黙メッセージに対応する請求項19に記載のデバイス。
【請求項２５】
前記暗黙メッセージが、前記ソーシャルネットワーキングサービスによって提供される機能に対応する請求項24に記載のデバイス。
【請求項２６】
前記触覚データが、前記ある種の触覚フィードバックとして少なくとも突起効果が提供されるように構成された請求項19に記載のデバイス。
【請求項２７】
前記ソーシャルネットワーキングサービスに関連する前記ステータスアップデートの受信が、
前記第1の連絡先グループに提供される前記第1の種類の触覚フィードバックを指定する第1の情報を受信するステップと、
第2の連絡先グループに提供される前記第2の種類の触覚フィードバックを指定する第2の情報を受信するステップと
を含み、前記ある種の触覚フィードバックの提供が、
前記少なくとも1つのユーザアカウントが、前記第1の連絡先グループに含まれているか、または前記第2の連絡先グループに含まれているかを判断するステップと、
前記少なくとも1つのユーザアカウントが前記第1の連絡先グループに含まれているという判断に応じて、前記第1の種類の触覚フィードバックを提供させるステップと、
前記少なくとも1つのユーザアカウントが前記第2の連絡先グループに含まれているという判断に応じて、前記第2の種類の触覚フィードバックを提供させるステップと、
を含む請求項19に記載のデバイス。
【請求項２８】
装置であって、
ソーシャルネットワーキングサービスに関連するステータスアップデートであって触覚データを含むステータスアップデートを受信するための手段と、
前記触覚データと、コンピューティングデバイスを介して提供される前記ソーシャルネットワーキングサービスの少なくとも1つのユーザアカウントと前記ステータスアップデートの送信者との間の前記ソーシャルネットワーキングサービス内における関係とに少なくとも部分的に基づいて、ある種の触覚フィードバックを提供させるための手段と
を含み、
前記関係は、前記ソーシャルネットワーキングサービスで定義されている前記送信者の連絡先のグループ分けに基づき、
少なくとも1つのユーザアカウントが第1の連絡先グループにある場合には、第1の種類の触覚フィードバックが提供され、
少なくとも1つのユーザアカウントが第1の連絡先グループとは異なる第2の連絡先グループにある場合には、第1の種類の触覚フィードバックとは異なる第2の種類の触覚フィードバックが提供される、装置。
【請求項２９】
前記触覚データが、前記ステータスアップデートの受信者に提供される少なくとも1つの触覚感覚を識別する請求項28に記載の装置。
【請求項３０】
前記触覚データが、前記ステータスアップデートの前記送信者によって指定される請求項28に記載の装置。
【請求項３１】
前記第1の連絡先グループと前記第2の連絡先グループとが、前記ステータスアップデートの前記送信者によって定義される請求項28に記載の装置。
【請求項３２】
前記触覚データが、前記ステータスアップデートを含むウェブページのヘッダに埋め込まれている請求項28に記載の装置。
【請求項３３】
前記ある種の触覚フィードバックが、暗黙メッセージに対応する請求項28に記載の装置。
【請求項３４】
前記暗黙メッセージが、前記ソーシャルネットワーキングサービスによって提供される機能に対応する請求項33に記載の装置。
【請求項３５】
前記触覚データが、前記ある種の触覚フィードバックとして少なくとも非振動的な触覚感覚が提供されるように構成された請求項28に記載の装置。
【請求項３６】
前記ソーシャルネットワーキングサービスに関連する前記ステータスアップデートの受信が、
前記第1の連絡先グループに提供される前記第1の種類の触覚フィードバックを指定する第1の情報を受信するステップと、
第2の連絡先グループに提供される前記第2の種類の触覚フィードバックを指定する第2の情報を受信するステップと
を含み、前記ある種の触覚フィードバックの提供が、
前記少なくとも1つのユーザアカウントが、前記第1の連絡先グループに含まれているか、または前記第2の連絡先グループに含まれているかを判断するステップと、
前記少なくとも1つのユーザアカウントが前記第1の連絡先グループに含まれているという判断に応じて、前記第1の種類の触覚フィードバックを提供させるステップと、
前記少なくとも1つのユーザアカウントが前記第2の連絡先グループに含まれているという判断に応じて、前記第2の種類の触覚フィードバックを提供させるステップと、
を含む請求項28に記載の装置。
【請求項３７】
前記連絡先グループが、友人グループ、家族グループ、および同僚グループのうちの1つまたは複数を含む、請求項1に記載の方法。